(57)【要約】  水質及び空気浄化機能を有するアクアリアム用気泡フィルタは、フィルタ設置孔を挟んで左右両側面に一対の対称的な容器設置孔を形成し、その下端面の中央前方にフィルタ設置孔と連通されるように流体流入孔を形成した設置ケースと、フィルタ設置孔にスライド収納される多層フィルタと、一対の容器設置孔にスライド収納される濾過剤充填容器と、流体流入孔の前方に連結される濾過ケースと、設置ケースの一側面に装着される水膜発生装置とを備え、設置ケースの内部に微細気泡を供給するための多重微細気泡生成口をさらに備える。【選択図】  図５
2008529490.tif 000002
【特許請求の範囲】
【請求項１】
フィルタ設置孔を挟んで左右両側に一対の対称的な容器設置孔を形成し、その下端面の中央前方に前記フィルタ設置孔に対して連結される流体流入孔を備える設置ケースと、
前記フィルタ設置孔に摺動可能に収納される多層フィルタと、
前記一対の容器設置孔に摺動可能に収納される濾過剤充填容器と、
前記流体流入孔の前方に連結される濾過ケースと、
前記設置ケースの一側面に装着される水膜発生装置とを備え、
前記設置ケースの内部に微細気泡を供給するための多重微細気泡生成口をさらに備えることを特徴とする水質及び空気浄化機能を有するアクアリアム用気泡フィルタ。
【請求項２】
前記設置ケースは、その前方の外観構成が、透明体の識別窓と、装飾パターンが印刷処理された装飾パネルとからなり、
前記設置ケースに形成されたフィルタ設置孔と一対の容器設置孔１２とは、その側面連結部位が、複数に区画された開放口により連通されることを特徴とする請求項１に記載の水質及び空気浄化機能を有するアクアリアム用気泡フィルタ。
【請求項３】
前記多層フィルタは、空気排出孔が備えられた遮断膜を上部面とし、前記遮断膜の左右両側面には、互いに対向して離間した一対の垂直支持板が一体に形成され、
前記一対の垂直支持板の内側面は、複数の水平隔板により多層に分割され、
前記垂直支持板及び前記水平隔板には、その全面にわたって複数の気泡分散誘導孔が形成されることを特徴とする請求項１に記載の水質及び空気浄化機能を有するアクアリアム用気泡フィルタ。
【請求項４】
前記濾過剤充填容器は、複数の気泡分散誘導孔が形成された所定長さの矩形ケース構造であって、その内部に濾過剤が充填される主要収納空間部を形成し、
前記主要収納空間部の上部に空気排出孔が備えられた遮断膜を形成し、
前記主要収納空間部の内側一面に少なくとも複数以上に分割された補助設置収納部をさらに備えるように形成することを特徴とする請求項１に記載の水質及び空気浄化機能を有するアクアリアム用気泡フィルタ。
【請求項５】
前記濾過ケースは、複数の通水孔が形成された矩形ケース構造で形成され、前記濾過ケースの外観全体がメッシュ網に収容されるように構成されることを特徴とする請求項１に記載の水質及び空気浄化機能を有するアクアリアム用気泡フィルタ。
【請求項６】
前記水膜発生装置は、吸入管が連結された水中モータを含み、
前記水中モータの上部面には、所定長さ延長された折曲構造の流体供給管が連結され、前記流体供給管には、複数の噴射ノズルが備えられることを特徴とする請求項１に記載の水質及び空気浄化機能を有するアクアリアム用気泡フィルタ。
【請求項７】
前記多重微細気泡生成口は、順次的な段階別収納構造に結合される第１気泡分散管と、第２気泡分散管と、第３気泡分散管とに分割形成され、
前記第１気泡分散管の一側にエア供給チューブ７が連結されて、公知の気泡発生器からエアが供給されることを特徴とする請求項１に記載の水質及び空気浄化機能を有するアクアリアム用気泡フィルタ。
【請求項８】
前記濾過剤充填容器は、その主要収納空間部に、粒子構造の活性炭、セラミック、磁石、砂、及びスポンジの少なくとも１つの素材が充填されることを特徴とする請求項１又は４に記載の水質及び空気浄化機能を有するアクアリアム用気泡フィルタ。
【請求項９】
前記第１気泡分散管に連結されるエア供給チューブは、その外周に電熱線が巻着され、
前記電熱線の発熱作用によりエアの温度を上昇させることを特徴とする請求項７に記載の水質及び空気浄化機能を有するアクアリアム用気泡フィルタ。
【請求項１０】
多層フィルタ部を中心に左右両側面に対称する一対の濾過剤充填部を一体に形成し、その下端面の中央前方に前記多層フィルタ部と貫通連結されるように流体流入孔を形成した設置ケースと、
前記流体流入孔の前方に安着連結される濾過ケースと、
前記設置ケースの一側面に装着される水膜発生装置とを備え、
前記設置ケースの内部に微細気泡を供給するための多重微細気泡生成口をさらに備えることを特徴とする水質及び空気浄化機能を有するアクアリアム用気泡フィルタ。
【発明の詳細な説明】
【技術分野】
【０００１】
本発明はアクアリアムにて使用される浄化手段に関する。より詳しくは、本発明は強制的に供給される微細気泡により溶存酸素量を増加させて、水槽内の汚染物質を効果的に除去すると共に、その水槽から排出される浄化された空気により室内環境を快適かつ清浄に保持するための水質及び空気浄化機能を有するアクアリアム用気泡フィルタに関する。
【背景技術】
【０００２】
通常、アクアリアムとは、淡水や海水中に生息する水中生物を飼ってその生態を観覧、研究できるように製作された一種の観賞用容器を意味し、主に、家庭、事務室、公共場所などの室内空間を美しく飾るためのインテリアー小品に利用されるだけでなく、他の用途として、冬期に室内の湿度を調節するなどの機能を有する。
【０００３】
以下、このような従来のアクアリアムの一般的な構成を説明する。
従来のアクアリアムは、まず、所定量の水が充填された水槽の内部を砂、砂利、及び各種の水中造形物にて装飾した後、水槽内に入れられた各種の水中生物（魚など）ために、水槽内に酸素供給器を選択的にさらに設置される。
【０００４】
しかし、このような従来のアクアリアムは、所定時間が経過した場合、水中生物の排泄
物、供給された残留餌、及び苔の発生などによる富栄養化現象により水槽内の水が汚染されるため、使用者は水槽の水を随時交換し、掃除作業を行わなければならず、アクアリアムの管理が非常に煩雑で難しいという問題点があった。
【０００５】
また、水槽内の水の汚染を遅延させるために、必要時に選択的に希釈、添加してアクアリアム内の汚染物質を分解、除去する浄化剤が使用されている。しかし、このような浄化剤は、人為的に製造された化学的薬品であり、水中生物の生態環境に悪影響を与える。また、このような化学的浄化剤は、単純な消耗性物品であり、その効果も持続的でないため、非経済的であるという使用上の問題があった。
【０００６】
この問題を解決すべく、多量の微細気泡の発生により溶存酸素量を増加させて水槽内の水を自然浄化するアクアリアム用浄化装置が開発されて使用されている。
【発明の開示】
【発明が解決しようとする課題】
【０００７】
しかし、このようなアクアリアム用浄化装置は、気泡発生器と、フィルタ浄化手段とを基本構成とし、多様な付加的機能要素の複雑な組み合わせをさらに含む。従って、その構成が非常に複雑であるため、製造及び設置が複雑であるという問題がある。さらに、複雑な構成により、浄化装置が設置されたアクアリアムの外観を大きく損なうという問題がある。
【０００８】
また、このアクアリアム用浄化装置は、通常、水槽内の水を自然浄化して水の交換及び
水槽の掃除作業時期を相当期間延長させるものにすぎず、適切な時期に浄化装置の異常有無及びフィルタの交換周期を点検し、水の交換及び水槽の掃除作業を行わなければならない。しかし、浄化装置の分解、組立が手間取るため、浄化装置の異常に際して部品の交換及びメンテナンスが非常に難しいという欠点があり、水の交換及び水槽の掃除作業が困難である等、取り扱い及び管理上の問題が依然として存在する。
【０００９】
本発明は、このような従来のアクアリアム用浄化装置の問題を解決するためになされた
もので、その目的は分解、組立が可能な構成により製造及び設置を容易で、浄化手段の異常による部品の交換及びメンテナンス、並びに水槽の掃除作業（水の交換）などを容易に行えるようにすると共に、アクアリアムの外観を向上させて、使用者の視覚的満足心を充たすようにした、水質及び空気浄化機能を有するアクアリアム用気泡フィルタを提供することにある。
【００１０】
また、本発明の他の目的は、強制供給される微細気泡により溶存酸素量を増加させて水
槽内の汚染物質を効果的に分解、除去すると共に、その水槽から排出される浄化された空気により室内環境を快適かつクリーンに維持できるようにした、水質及び空気浄化機能を有するアクアリアム用気泡フィルタを提供することにある。
【課題を解決するための手段】
【００１１】
この目的を達成するために、本発明による水質及び空気浄化機能を有するアクアリアム用気泡フィルタは、フィルタ設置孔を挟んで左右両側面に一対の対称的な容器設置孔を形成し、その下端面の中央前方に前記フィルタ設置孔と連通されるように流体流入孔を備える設置ケースと、前記フィルタ設置孔に摺動可能に収納される多層フィルタと、前記一対の容器設置孔に摺動可能に収納される濾過剤充填容器と、前記流体流入孔の前方に安着連結される濾過ケースと、前記設置ケースの一側面に装着される水膜発生装置とを備え、前記設置ケースの内部に微細気泡を供給するための多重微細気泡生成口をさらに備えることを特徴とする。
【発明の効果】
【００１２】
本発明による水質及び空気浄化機能を有するアクアリアム用気泡フィルタは、選択的分解、組立が可能な簡単な構成により製造及び設置を便利にして、アクアリアムに使用される浄化手段に異常が発生した場合、その部品の交換及びメンテナンスを容易に行えるようにすると共に、アクアリアムの外観を向上させて、使用者の視覚的満足心を充たすようにしたものであり、また、強制供給される微細気泡により溶存酸素量を増加させて水槽内の汚染物質を効果的に除去すると共に、その水槽から排出される浄化された空気により室内環境を快適かつ清浄に保持できるようにしたものであって、使用者に非常に有用な期待効果を提供する。
【発明を実施するための最良の形態】
【００１３】
以下、本発明による水質及び空気浄化機能を有するアクアリアム用気泡フィルタの好ましい実施形態について添付の図面を参照して説明する。
図１は、本発明による水質及び空気浄化機能を有するアクアリアム用気泡フィルタの設置関係を示す斜視図であり、図２は、本発明による水質及び空気浄化機能を有するアクアリアム用気泡フィルタを示す分解斜視図であり、図３は、本発明による水質及び空気浄化機能を有するアクアリアム用気泡フィルタの設置状態を示す側断面図であり、図４は、本発明による水質及び空気浄化機能を有するアクアリアム用気泡フィルタの構成を示す正断面図であり、図５は、本発明に使用される多重微細気泡生成口と気泡発生器の構成を示す要部拡大図である。
【００１４】
本発明による水質及び空気浄化機能を有するアクアリアム用気泡フィルタ１０は、通常
のアクアリアム１００に設置される構造であって、設置ケース１と、多層フィルタ２と、濾過剤充填容器３と、濾過ケース４と、水膜発生装置５と、多重微細気泡生成口６とから構成される。
【００１５】
まず、前記アクアリアム１００は、水中生物（魚など）を飼ってその生態を観覧、研究できるように製作された公知の観賞用容器であって、通常、図１に示すように、所定量の水が充填される水槽１０１と、前記水槽１０１を固定、支持する収納型台１０２とを基本
構成とする。
【００１６】
また、前記気泡フィルタ１０を構成する設置ケース１は、本発明の基礎となる外観構造
であって、図１又は２に示すように、垂直通孔構造をなす所定長さのフィルタ設置孔１１を挟んでその左右に一対の対称的な容器設置孔１２を形成し、前記フィルタ設置孔１１と前記一対の容器設置孔１２とは、図２に示すように、複数に区画された開放口１３により連通されるようにし、前記設置ケース１の下端面の中央前方には、前記フィルタ設置孔１１に連通する矩形をなす流体流入孔１４を形成することが好ましい。
【００１７】
ここで、設置ケース１は、その前方面の構成が矩形板状の装飾パネル１５により仕上がるものであり、この装飾パネル１５は、その表面の中央に所定面積を有する透明体の識別窓１５１が形成され、前記識別窓１５１を除いた装飾パネル１５の表面全体に美感が付与された装飾パターン（図示せず）が印刷処理される。
【００１８】
また、前記気泡フィルタ１０を構成する多層フィルタ２は、空気排出孔２１１を備える遮断膜２１を上部面とし、前記遮断膜２１の左右両側面から所定距離離間して下方に延びる一対の垂直支持板２２を一体に形成し、さらに両垂直支持板２２の内側面に複数の水平隔板２３を規則的で反復的な多層分割構造に配列、設置して、その全体的が形状を図２に示すように上下に延びる梯子形状に形成することが好ましい。
【００１９】
前述した垂直支持板２２と水平隔板２３とで形成される多層フィルタ２は、図２に示すように、その全面にわたって多数の気泡分散誘導孔Ｐが形成されることにより、一種の網構造を有する。
【００２０】
また、前記気泡フィルタ１０を構成する濾過剤充填容器３は、左右両側の全面と底面部
に複数の気泡分散誘導孔Ｐが形成された所定長さの矩形ケース構造であって、図４に示すように、その内部に濾過剤３１１が充填される主要収納空間部３１が形成されている。図２に示すように、主要収納空間部３１の上部には空気排出孔３２１が備えられた遮断膜３２が形成されている。主要収納空間部３１の内側一面に少なくとも複数以上に分割区画された補助設置収納部３１２がさらに設けられるように形成することが好ましい。
【００２１】
ここで、前述した主要収納空間部３１に充填される濾過剤３１１は、小さい粒子構造の活性炭、セラミック、磁石、砂、及びスポンジの少なくとも１つの素材であり、これら素材は個別又は複数の混合形態で選択的に充填され、また、前述した補助設置収納部３１２には、付加的な通常の機能構成、すなわち、遠赤外線殺菌ランプ、光触媒剤、芳香部材など（図示せず）が選択的に収納、設置される。
【００２２】
また、前記気泡フィルタ１０を構成する濾過ケース４は、図２に示すように、複数の通
水孔４１が形成された矩形ケース構造をなす。濾過ケース４の全体的な構成は、図２の部分拡大図に示すように、メッシュ網４２に収容されるように構成することが好ましい。
また、図１又は図４に示すように、気泡フィルタ１０を構成する水膜発生装置５は、吸入管５１が連結された水中モータ５２を含む。、前記水中モータ５２の上部面には、所定長さ延長された直角折曲構造の流体供給管５３が形成され、前記流体供給管５３には、複数の噴射ノズル５３１を規則的な間隔に設置して構成することが好ましい。
【００２３】
また、前記多重微細気泡生成口６は、所定長さを有するエア供給チューブ７により、通常の気泡発生器８に連結され、同気泡発生器８からエアが供給される。この多重微細気泡生成口６は、図５に示すように、直径が異なり、その全面にわたって通孔構造の気泡分散孔Ｐ´を備えた所定長さの第１気泡分散管６１、第２気泡分散管６２、及び第３気泡分散管６３が形成される。その後、これらを順次的な段階別収納構造により、すなわち、前記
第２気泡分散管６２の内部に前記第１気泡分散管６１を収納し、前記第１気泡分散管６１が収納された第２気泡分散管６２を前記第３気泡分散管６３の内部に収納して組み立てることにより構成することが好ましい。
【００２４】
前記多重微細気泡生成口６と前記気泡発生器８とを連結するエア供給チューブ７の外周には電熱線７１が巻着され、前記電熱線７１は、前記気泡発生器８を駆動させる外部電源との選択的接続により発熱作用が制御される。
前述のような構成を有する本発明による水質及び空気浄化機能を有するアクアリアム用気泡フィルタは、
まず、フィルタ設置孔１１、一対の容器設置孔１２、及び流体流入孔１４が形成された設置ケース１を備えた状態で、図２又は図４に示すように、前記フィルタ設置孔１１に多層フィルタ２をスライド収納して結合し、
前記一対の容器設置孔１２に濾過剤充填容器３を摺動させて収納して結合し、
前記流体流入孔１４の前方に濾過ケース４を連結し、
前記設置ケース１の一側面に水膜発生装置５を装着し、
その後、仕上げ段階で、図３又は図４に示すように、前記多層フィルタ２が結合した設置ケース１の内部中央の下部面に多重微細気泡生成口６を装着することにより実現される。
【００２５】
一方、前述のような一連の結合構造で形成された本発明による水質及び空気浄化機能を有するアクアリアム用気泡フィルタは、図１に示すように、通常のアクアリアム１００などに設置されて利用されるものであるが、以下、それによる使用関係及び相互作用を説明する。
【００２６】
まず、本発明による水質及び空気浄化機能を有する気泡フィルタ１０をアクアリアム１
００に設置した状態で、外部電源により気泡発生器８を駆動させると、その駆動によりエアが発生し、前記発生したエアはエア供給チューブ７を介して多重微細気泡生成口６に供給される。
【００２７】
ここで、本発明に適用される前記気泡発生器８としては、１分当たり空気吐出量が２５
００ｃｃ以上である、高容量の気泡発生器を利用することが好ましい。
次に、前記多重微細気泡生成口６は、順次的な段階別収納構造に結合した第１、第２、第３気泡分散管６１、６２、６３の気泡分散孔Ｐ´から２５００ｃｃ以上の多量に排出されるエアに段階的な干渉を与えて水槽１０１内に微細な気泡を分散させ、その分散した多量の微細気泡を多層フィルタ２に供給する。
【００２８】
その後、前記多層フィルタ２に供給された微細気泡は、多層分割構造に配列、設置され
た水平隔板２３の段階的な上昇干渉により水中残留時間が長くなり、水槽１０１内の溶存酸素量を増加させることにより、前記増加した溶存酸素の酸化作用により水槽１０１内に含まれた汚染物質が１次浄化処理されるようにし、また、このように１次浄化処理作用を行った微細気泡は、その排出圧力により多層フィルタ２と濾過剤充填容器３に形成された気泡分散誘導孔Ｐを通過し、濾過剤充填容器３の内部に循環誘導されることにより、前記濾過剤充填容器３の内部に充填された濾過剤３１１の濾過作用により２次浄化処理が行われる。
【００２９】
また、このように１、２次にわたって浄化処理作用を行った微細気泡は、多層フィルタ
２及び濾過剤充填容器３の上部面に形成された空気排出孔２１１、３２１から気泡フィルタ１０の外部、すなわち、アクアリアム１００が設置された室内空間に排出される。このとき、その排出される空気（微細気泡）には、水槽１０１内の浄化処理作用により有害ガス（アンモニアなど）の一部が含まれている。このため、水膜発生装置５は、図４に示すように、水中モータ５２の駆動により水槽１０１内の水を吸入し、その吸入した水を複数
の噴射ノズル５３１から前記多層フィルタ２及び濾過体充填容器３の空気排出孔２１１、３２１に噴霧して水膜を形成することにより、前記排出される空気に含まれた有害ガスを除去して浄化し、その浄化した空気を室内に供給する。
【００３０】
ここで、前述のような一連の使用関係において、前記多重微細気泡生成口６により生成
された微細気泡は、所定の排出圧力により垂直上昇を行い、その微細気泡の排出部位に水圧の変化を発生させ、従って、その水圧の変化により、水槽１０１内の水が流体流入孔１４から気泡フィルタ１０内に強制的に吸入、循環して円滑な浄化が行われる。
【００３１】
また、前述のような一連の使用関係において、前記濾過ケース４は、水槽１０１内の水が流体流入孔１４から気泡フィルタ１０内に強制的に吸入された場合、水槽１０１の底面に備えられた砂、砂利、又はその他の異物を通水孔４１とメッシュ網４２により濾過して、これらが気泡フィルタ１０内に流入することを安定的に遮断する機能を行う。
【００３２】
さらに、前述のような一連の使用関係において、前記電熱線７１が巻着されたエア供給
チューブ７は、電熱線７１の発熱により、供給されるエアの温度を上昇させて、水槽の水温を浄化微生物の生息に適した温度に維持することにより、相対的に気温の低い冬にもその季節的な要因に影響されることなく浄化を円滑に行えるようにする。
【００３３】
一方、図６は、本発明による水質及び空気浄化機能を有するアクアリアム用気泡フィルタの他の実施形態を示す図である。
本発明の他の実施形態による水質及び空気浄化機能を有するアクアリアム用気泡フィル
タは、図６に示すように、
多層フィルタ部２´を中心に左右両側面に対称する一対の濾過剤充填部３´を一体に形成し、その下端面の中央前方に前記多層フィルタ部２´と貫通連結されるように流体流入孔１４´を形成した設置ケース１´を備えた後、
前記流体流入孔１４´の前方に濾過ケース（図示せず）を安着連結し、
前記設置ケース１´の一側面に水膜発生装置５´を装着し、
さらに、前記設置ケース１´の内部に微細気泡を供給するための多重微細気泡生成口６´を備えて形成されたものである。
【００３４】
しかしながら、このような本発明の他の実施形態は、前述した本発明の一実施形態の気
泡フィルタ１０の全体構成を一体化してその構成を簡単にしたもので、単純な設計の変更にすぎず、本発明のカテゴリーから外れるものではない。
【００３５】
なお、本発明による水質及び空気浄化機能を有するアクアリアム用気泡フィルタは、効
果的な微細気泡制御機能により汚染された水質及び空気を浄化するものであって、アクアリアムに設置されるものに限定されるものではなく、産業用汚廃水浄化装置及びその他の室内空気浄化のための空気清浄器などに多様に応用して設置できるもので、これも本発明のカテゴリーから外れるものではない。
【図面の簡単な説明】
【００３６】
【図１】本発明による水質及び空気浄化機能を有するアクアリアム用気泡フィルタの設置関係を示す斜視図。
【図２】本発明による水質及び空気浄化機能を有するアクアリアム用気泡フィルタを示す分解斜視図。
【図３】本発明による水質及び空気浄化機能を有するアクアリアム用気泡フィルタの設置状態を示す側断面図。
【図４】本発明による水質及び空気浄化機能を有するアクアリアム用気泡フィルタの構成を示す正断面図。
【図５】本発明に適用される多重微細気泡生成口と気泡発生器の構成を示す要部拡大図。
【図６】本発明による水質及び空気浄化機能を有するアクアリアム用気泡フィルタの他の実施形態を示す図。
【図１】
2008529490.tif 000003
【図２】
2008529490.tif 000004
【図３】
2008529490.tif 000005
【図４】
2008529490.tif 000006
【図５】
2008529490.tif 000007
【図６】
2008529490.tif 000008
【国際調査報告】
2008529490.tif 000009
2008529490.tif 000010